(57)【要約】      （修正有）【課題】毛様体筋の弾性を回復させつつ、視力を測定し、適正なレンズを選定して購買者にあった眼鏡を人手をかけることなく販売するシステムを提供すること。【解決手段】大気よりも酸素リッチの空気を眼球周辺に吹き付けて毛様体筋をマッサージする双眼ユニット７０を有し、該双眼ユニットは、眼球の焦点を変動させて毛様体筋を活性化すると共に、視力測定手段を有する眼球の焦点変動訓練装置を有し、該双眼ユニットを用いて測定された視力データを蓄積し、該蓄積された視力データに基づいて用いるレンズの度数を決定し、該レンズデータと多数のフレームデータの中から任意のフレームを選択して該レンズデータとフレームデータとを電気通信回路を通じて送って眼鏡を発注し、該発注に基づいて製造された眼鏡を配送手段を用いて購買者に届けると共に、購買者は該眼鏡の代金を電気通信回路を通じて支払うことを特徴とする眼鏡の販売システム。【選択図】図１
2018049505.tif 000002
【特許請求の範囲】
【請求項１】
大気よりも酸素リッチの空気を眼球周辺に吹き付けて毛様体筋をマッサージする双眼ユニットを有し、該双眼ユニットは、眼球の焦点を変動させて毛様体筋を活性化すると共に、視力測定手段を有する眼球の焦点変動訓練装置を有し、該双眼ユニットを用いて測定された視力データを蓄積し、該蓄積された視力データに基づいて用いるレンズの度数を決定し、該レンズデータと多数のフレームデータの中から任意のフレームを選択して該レンズデータとフレームデータとを電気通信回路を通じて送って眼鏡を発注し、該発注に基づいて製造された眼鏡を配送手段を用いて購買者に届けると共に、購買者は該眼鏡の代金を電気通信回路を通じて支払うことを特徴とする眼鏡の販売システム。
【請求項２】
上記双眼ユニットで測定したデータを電気通信回路を通して、購買者の表示端末に送信することを特徴とする請求項１に記載の眼鏡の販売システム。
【請求項３】
上記双眼ユニットが大気よりも酸素リッチに形成された空間に配置されていることを特徴とする請求項１に記載の眼鏡の販売システム。
【発明の詳細な説明】
【技術分野】
【０００１】
本発明は、検眼或いは販売に人の手を介することなく、非常に精度の良いオーダーメイドの眼鏡を販売するシステムに関する。
【背景技術】
【０００２】
眼鏡の販売を無人化することは既に行われており、例えば特許文献１（特開２００２−８３１５６号公報）、特許文献２（特開２００３−２９５１３２号公報）などに、無人街頭眼鏡自動選定装置などが開示されている。これらの無人街頭眼鏡自動選定装置は、インターネットあるいはキオスクの街頭情報端末を使用するものであり、３Ｄシステムを導入することにより、眼鏡フレームおよびレンズの三次元的な選定を可能にしている。
【０００３】
ところで、近時、液晶画面を用いたパソコン、スマートフォーンなどの光学表示装置の発達が著しく、このような光学表示装置からは、眼にとって一部で有害と指摘されている光線が放出されており、長時間こうした光線に晒されるとＶＤＴ（Visual display terminal）症候群と言われる目の疲労が大きな問題になってきている。スマートフォンあるいはパソコンでは、画面の隅々から必要な情報を得て、その意味を咀嚼し、その情報に対しての指示、確認、実効並びにその結果の反応等、一連の動作が必要であり、結果として長時間、目を近地点の一点（画面上）に焦点を合わせ続けることになる。そのことは、長時間にわたって毛様体筋を一定筋度に保つという状態で毛様体筋がロックされてしまい、この状態が長く続くと毛様体筋の弾性が失われるという問題が生ずる。
【０００４】
このような状態で検眼を行うと、毛様体筋がロックされた状態で検眼が実施されることになり、正確な検眼を行うことができない。
上記のようにロックされた毛様体筋は、適切な処置を施すことにより、その弾性が回復することが知られているが、従来の無人街頭眼鏡自動選定装置では、毛様体筋の弾性を回復させて検眼を行うと謂った技術的思想は存在しない。
【先行技術文献】
【特許文献】
【０００５】
【特許文献１】特開２００２−０８３１５６号公報
【特許文献２】特開２００３−２９５１３２号公報
【発明の概要】
【発明が解決しようとする課題】
【０００６】
本発明は、毛様体筋の弾性を回復させつつ、視力を測定し、適正なレンズを選定して購買者にあった眼鏡を人出をかけることなく販売するシステムを提供することを目的としている。
さらに、本発明は、購入する眼鏡に関する情報および購買者の眼精疲労状態を電気通信回路を通じて購買者に送信するシステムを提供することを目的としている。
【課題を解決するための手段】
【０００７】
本発明は、大気よりも酸素リッチの空気を眼球周辺に吹き付けて毛様体筋をマッサージする双眼ユニットを有し、該双眼ユニットは、眼球の焦点を変動させて毛様体筋を活性化すると共に、視力測定手段を有する眼球の焦点変動訓練装置を有し、該双眼ユニットを用いて測定された視力データを蓄積し、該蓄積された視力データに基づいて用いるレンズの度数を決定し、該レンズデータと多数のフレームデータの中から任意のフレームを選択して該レンズデータとフレームデータとを電気通信回路を通じて送って眼鏡を発注し、該発注に基づいて製造された眼鏡を配送手段を用いて購買者に届けると共に、購買者は該眼鏡の代金を電気通信回路を通じて支払うことを特徴とする眼鏡の販売システムにある。
【０００８】
本発明は、双眼ユニットで測定したデータを電気通信回路を通して、購買者の表示端末に送信することが好ましい。
本発明では、上記双眼ユニットが大気よりも酸素リッチに形成された空間（カプセル）に配置されていることが好ましい。
【発明の効果】
【０００９】
本発明のよれば、人出を介することなく、精度の高いオーダーメイドの眼鏡を安価に購入することができる。
また、非常にリラックスした状態で検眼を行うので、正確に検眼を行うことができ、出来上がった眼鏡の精度が高い。
さらに、購入した眼鏡データ、双眼ユニットを用いた検眼より得られた眼精疲労などの検眼データを電気通信回路を通して購買者の情報端末に送信することができる。
【図面の簡単な説明】
【００１０】
【図１】図１は、本発明で利用する酸素リッチに形成された空間の一例（カプセル）を示す図である。
【図２】図２は、本発明で使用する焦点変動訓練装置の一例を詳細に示す図である。
【図３】図３は、本発明で使用する焦点変動訓練装置の一例を模式的に示す図である。
【図４ａ】図４ａは、眼精疲労がピークにあるときの毛様体筋の緊張度を表すグラフである。
【図４ｂ】図４ｂは、眼精疲労回復プログラムを３０分間実施した後の毛様体筋の緊張度を表すグラフである。
【発明を実施するための形態】
【００１１】
次の本発明の眼球の販売システムについて、図面を参照しながら詳細に説明する。
本発明の眼鏡の販売システムにおいては、検眼を酸素リッチに形成された空間、例えば図１に示すようなカプセル内に配置された双眼ユニットを用いて行う。
【００１２】
本発明の眼鏡の販売システムで使用する眼球の焦点変動訓練装置は、双眼ユニット７０に組み込まれており、双眼ユニット７０は酸素リッチに形成された空間であるカプセル５０内に配置されている。
【００１３】
このカプセル５０は、図１に示されるように、断面楕円状の筒状体からなり、側面は購買者の出入りが可能なように開放されている。
このカプセル５０内には、購買者が座るための座面５２と背面５３と頭部を支える頭部面５５とが備えられている。座面５２には座した購買者の太ももをマッサージするためのバイブレータが備えられている。また、背面５３には、購買者の肩をマッサージするための揉み玉が肩の位置に配置されている。さらに頭部面５５には、購買者の首筋をマッサージするための揉み玉が備えられている。これらのバイブレータおよび揉み玉は、外部からこのカプセル内に導入される電力によって駆動する。
【００１４】
また、購買者が座したときに購買者の頭部をエアーマッサージする空気管５６が複数配置されており、購買者の頭部に酸素リッチにされたエアーによって購買者の頭部はエアーマッサージされると共に、この酸素リッチのエアーによってカプセル５０内の空気も酸素リッチにされている。
【００１５】
この酸素リットの空気は、通常は酸素濃度が３８〜４０％の酸素を含有する空気であり、このとき使用される酸素はカプセル外に設けられた酸素ボンベあるいは酸素供給ポンプから供給され、カプセル５０の背部に設けられた空気混合弁５７を用いて空気と適切な酸素濃度に混合されて空気管５６から排出される。
【００１６】
空気管５６は、通常は内径が０．５mmの樹脂チューブから形成されており、この樹脂チューブは、通常４本が移動可能に配置されている。
この４本の樹脂チューブからは、０．１〜０．６リットル／分の量の酸素リッチの空気が供給されており、このような量で酸素リッチの空気を送り込むことにより、カプセル５０内部を常に酸素リッチの状態に保つことができると共に、頭部をエアーマッサージすることができ、購買者をリラックスさせることができる。
【００１７】
このような酸素リッチの状態において、カプセル内の購買者は酸素リッチの空気を呼吸することになり、疲労した身体に充分な酸素を供給することができ、さらに背面５３および頭部面５５の揉み玉によるマッサージの効果および太もものバイブレーターによるマッサージ効果も加わって、疲労を回復することができる。
【００１８】
一方、購買者の前面には、上部に、カプセル内ライト、スピーカー、webカメラ（好ましくは複数のwebカメラ）、マイクロフォン、入室センサ、後述する双眼ユニットの位置決めスイッチなどを備えた上部ユニット６０が設けられている。
【００１９】
上部ユニット６０の下には双眼ユニット７０が設けられており、この双眼ユニットの下部には入力装置９０が設けられており、この入力装置９０は、その下部に配置されたコンピュータユニット９２に接続している。この入力装置９０はキーボードでもよいが、タッチパネルであることが好ましい。
【００２０】
このコンピュータユニット９２は、上記双眼ユニット７０とも接続しており、この双眼ユニット７０で集められた情報もコンピュータユニット９２に送られる。
このカプセル５０に購買者が入ると、上部ユニットに設けられた入室センサおよび赤外センサなどの入退センサー９３などにより管理者に通知され、管理者と購買者とはwebカメラとマイクロフォンおよびスピーカーを介して通話が可能になる。この際、複数のwebカメラを配置することにより、購買者の立体像をコンピュータに合成させることができる。
【００２１】
インターネットなどの電気通信回路を介してカプセル５０の外部には管理者が準備しており、この管理者として眼科医師が付くこともできる。そして、管理者は購買者に適切な指示を与えることができると共に、眼科的専門事項に関する購買者の質問に答えることもできる。
【００２２】
双眼ユニット７０は、図２および図３に示すように、大気よりも酸素リッチの空気を眼球周辺に吹き付けて毛様体筋をマッサージすると共に、この眼球の焦点を変動させる焦点変動手段を有する。
【００２３】
すなわち、双眼ユニット７０は、レンズを露出させるための開口部７１を有する筐体７２と、この筐体７２内に回動自在に配置された左右の円盤体７３，７４とを有している。また、開口部７１の縁には、上記空気管５６から供給される酸素リッチの空気と同様の空気が吹き出て目の周りをエアーマッサージするエアーノズル７５が複数設けられている。このエアーノズル７５の設置位置は、このエアーノズル７５から噴出する酸素リッチの空気によって経穴（所謂、ツボ）をエアーマッサージ可能にされていることが好ましい。このように経穴をエアーマッサージすることは、すなわち毛様体筋をマッサージすることになり、硬直した毛様体筋の弾性が回復する。
【００２４】
双眼ユニットを形成する筐体７２内部に配置された円盤体７３，７４には、複数のレンズ７６ａ，７６ｂ，７６ｃ，７６ｅ、７６ｆ、シャッター７７およびミラーレンズ７８が装着されている。この左右の円盤体７３，７４は、モータ８０によって、それぞれ独立して、筐体７２に対して回動可能にされている。さらにこの左右の円盤体７３，７４の縁にはレンズ位置決め手段（図示なし）が設けられており、このレンズ位置決め手段によって、開口部７１にあるレンズ７６の種類を特定することができる。また、左右の円盤体７３，７４は、モーターあるいはリニアモータ８１によってその間隔が調整可能に形成されている。この左右の円盤体７３，７４の距離の変動に伴って接眼レンズ７８もその位置が変動する。
【００２５】
双眼ユニットを形成する筐体７２の奥には、液晶モニター２０が配置されており、開口部７１から接眼レンズ７９ｂおよび遠近調整スライドレンズ７９a、さらには円盤体上に配置されたレンズ７６を介して液晶モニタ−２０に形成された画像を見ることができる。
【００２６】
ここで液晶モニター２０は、複数のwebカメラによって得られた情報に基づいて、或いは、予め保存されていた３Ｄ画像情報に基づいて、３Ｄ画像を形成することができるものであり、焦点を変動させる焦点変動手段でもある。
【００２７】
この液晶モニター２０には、視力表、乱視検査表、焦点変動手段であるトレーニング用３Ｄ変動焦点、および、眼鏡をかけたときの自分の顔の３Ｄ画像等が表示できる。
上記の双眼ユニット７２を使用する場合、まず、左右の円盤体７３，７４のミラーレンズを選択する。次いで、双眼ユニット７２内に設けられたモータにより、左右上下に円盤体７３，７４の距離および位置を調節する。
【００２８】
両眼のそれぞれの目の中心にレンズのクロス印が位置するように左右上下に円盤体７３，７４の距離および位置をリニアモータにより設定する。この左右の円盤体７３，７４の移動に伴い接眼レンズ７９ｂ、遠近調整スライドレンズ７９ａ、覗き部も移動する。
【００２９】
視力検査をする場合、一方の円盤体のシャッタで視界を閉じ、もう一方のレンズとして凹レンズを選択し、液晶モニターに現れた視力表を読み取る。
他方の目の視力を検査する場合は、上記とは逆の目の視界をシャッターで閉じ、もう一方の目のレンズとして凹レンズを選択し、液晶モニターに表示される視力表を読み取る。
【００３０】
乱視を検査する場合には、一方の目をシャッターで閉じて、他方の円盤体を回転させて乱視検査表を読み込み、レンズ（乱視ＣＹ値±０．１回転）７６ｂ、レンズ（乱視レンズＣＹ値±１．２５〜２．０回転）７６ｃ、レンズ（乱視レンズＣＹ値±２．２５〜３．０回転）７６ｄ、レンズ（乱視レンズＣＹ値±３．２５〜４．０回転）７６ｅのいずれかに変えてもっとも液晶モニターに表示された乱視検査表が均一に見えるレンズを選択する。他方の目に関しても同様に行う。
【００３１】
液晶モニターにより３Ｄ画像を見る場合には、両目とも凸レンスを選択する。
この凸レンズ越しに見える変動する３Ｄ画像に焦点を合わせることにより、雲霧法により、３Ｄ画像の移動に伴って毛様体筋および水晶体が緊張、弛緩を繰り返し、毛様体筋の弾性および水晶体の弾性を回復させることができる。このような毛様体筋の弾性の回復により、水晶体の弾性も回復するので、結果として視力の回復を図ることができる。
【００３２】
上記のようにして毛様体筋の訓練を行った後、視力検査を行うと視力が回復するので、この回復した視力と、訓練前の視力とを比較することにより、この訓練の成果を確認することができ、眼精疲労のない場合の視力を認識することができる。この情報はコンピュータ９２を介して外部に設けられたサーバーに電気通信回線を通じて転送され、さらに顧客管理サーバーに保存される。
【００３３】
上記のようにして視力の検査および３Ｄ画像による毛様体筋のトレーニングの間中、目の周囲には酸素リッチな空気が吹き付けており、外部からも毛様体筋の緊張をほぐすことができる。
【００３４】
さらに、双眼ユニット７２の上部及び下部からは酸素リッチの空気が頭部に向けて噴射しており、頭部をマッサージすることができると共に、この酸素リッチの空気がカプセル内に充満するので購買者は酸素リッチの空気を呼吸することにより、血液中の酸素濃度も上昇し、疲労して緊張している毛様体筋を内部からも弛緩させることができる。
【００３５】
また、購買者の背面および頭部面には、揉み玉が配置されており、これらにより肩こり、首筋のこりなどが緩和され、さらに、酸素リッチの空気の噴射による頭部マッサージにより購買者をリラックスさせることができる。
【００３６】
特に酸素リッチの空間で、経穴をエアーマッサージしながら、頭部をエアーマッサージし、さらに首筋、肩をマッサージしながら視力検査を行うことにより、非常にリラックスした状態で視力検査を行うことができ、正確な視力検査を行うことができる。
【００３７】
上記のように測定することにより、購買者の眼の状態を測定することができ、この情報はコンピュータ９２に送られる。
一方、上記のようにしてコンピュータユニット９２に集められた情報は電気通信回線を通してカプセル５０外に設けられたサーバーに送られる。
【００３８】
こうして集められた情報は、顧客管理サーバーで個人毎に整理して集積される。
このように個人管理サーバーで集積された個人データを解析することにより、個人の眼精疲労度を把握することができる。
【００３９】
こうして集積された眼鏡のデータおよび個人の視力に関するデータ、例えば眼精疲労に関するデータを電子通信回線を通した通信手段を用いて個人宛にスマートフォーンなどの個人の情報端末に送信することができる。この個人宛に送られた個人データを予めインストールしたアプリケーションで読み込むことにより、その個人の眼精疲労度およびトレーニングによる回復度をチェックすることができる。
【００４０】
図４ａは、眼精疲労がピークにあるときの毛様体筋の緊張度を表すものであり、図４ｂは、眼精疲労回復プログラムを３０分間実施した後の毛様体筋の緊張度を表すものである。
【００４１】
毛様体筋の緊張度はカラースケールで示されているので、図４ａおよび図４ｂのカラーグラフを手続き補足書により提出する。
図４ａは、視力測定距離６７cm、５０cm、４０cm、３３cmにおける毛様体筋の緊張度合いが赤みがかっており、高い緊張度が継続していることが判る。
【００４２】
これに対して、図４ｂは、３０分間の眼精疲労回復プログラムを実施した後の視力測定距離６７cm、５０cm、４０cm、３３cmにおける毛様体筋の緊張度合いを示しているが、図４ａに比して赤みがかった緊張度合いが、図４ｂでは緑あるいは黄色が増えて毛様体筋の緊張度合いが緩和されることがわかる。
【００４３】
他方、双眼ユニット７０で集められた情報に基づいてレンズの種類を特定することができ、購買者がコンピュータに記憶させてある眼鏡のフレームの３Ｄ画像の中から好みのメガネのフレームを選択することにより、眼鏡を発注することができる。
【００４４】
すなわち、双眼ユニット７０を用いることにより、視力、乱視の度数、眼球間距離など眼鏡を製造するのに必要な情報は収集することができ、この情報は、コンピュータユニット９２から電子通信回線を介して外部顧客管理サーバーに送られるので、この顧客管理サーバーの情報から眼鏡を製造するのに必要な情報を得ることができる。そして、購買者からの眼鏡購買の申し入れがあれば、眼鏡のフレームを選択して、眼鏡を製造することができる。
【００４５】
こうして眼鏡を発注する際には、選択した眼鏡フレームの眼鏡をかけた自身の３Ｄ画像をコンピュータで合成して液晶モニターに表示させることができるので、この合成された３Ｄ画像を見て自身が眼鏡をかけた姿を確認することができる。この時点で眼鏡フレームを変えることもできる。
【００４６】
なお、レンズに関して、色をつける、グラデーションを付けるなどの加工を要請することもできる。
このようなレンズに関するデータおよび眼鏡フレームの選択に基づいて、オーダーメイドの眼鏡を製造することができる。
【００４７】
このようにして購買者用にオーダーメードされた眼鏡は、例えば宅配便などの配送手段を用いることにより、購買者に届けることができる。
一方、眼鏡を発注した購買者は、例えば電子マネーを使用することにより、あるいは、カード決済することにより電子通信回路を通してオーダーメイドされた眼鏡の支払いをすることができる。
【００４８】
上記のようにすることにより、人を介することなく購買者が選択したオーダーメードの眼鏡の売買契約が成立する。
しかも本発明のシステムでは、購買者が非常に安定した状態で検眼をすることができるので、検眼結果の信頼性が高く、作られる眼鏡の精度が高い。
【００４９】
このように本発明のシステムによれば、人を介することなくオーダーメイドの眼鏡を注文し、受け取り、支払いをすることができるので、オーダーメイドの眼鏡の製造コストを抑えることができ、良質のオーダーメイド眼鏡を安価で供給することができる。
【符号の説明】
【００５０】
２０・・・液晶モニター
５０・・・カプセル
５２・・・座面
５３・・・背面
５５・・・頭部面
５６・・・空気管
６０・・・上部ユニット
７０・・・双眼ユニット
７２・・・筐体
７３・・・円盤体
７４・・・円盤体
７６・・・レンズ
７６ａ・・・凸レンズ
７６ｂ・・・乱視ＣＹ値±０．１回転
７６ｃ・・・乱視レンズＣＹ値±１．２５〜２．０回転
７６ｄ・・・乱視レンズＣＹ値±２．２５〜３．０回転
７６ｅ・・・乱視レンズＣＹ値±３．２５〜４．０回転
７６ｆ・・・凹レンズ
７７・・・シャッター
７８・・・ミラーレンズ
７９a・・・遠近調整スライドレンズ
７９ｂ・・・接眼レンズ
８０・・・モータ
８１・・・リニアモータ
９０・・・入力装置
９２・・・コンピュータユニット
９３・・・入退センサー
【図１】
2018049505.tif 000003
【図２】
2018049505.tif 000004
【図３】
2018049505.tif 000005
【図４ａ】
2018049505.tif 000006
【図４ｂ】
2018049505.tif 000007